(57)【要約】      （修正有）【課題】被測定部位の最大値又は最小値であるピーク値の検出作業を、簡単、迅速にできるようにし、ピーク値の検出に係る手間暇を軽減できるデジタルノギスを提供する。【解決手段】本尺１にスライダー２を摺動自在に設け、このスライダー２の移動量を検出する検出器３と、この検出器３の検出値を数値で表示する表示部４とをスライダー２に設ける。本尺１の測定子５と、スライダー２の測定子６とで被測定部位を測定するものであり、上記のスライダー２が、被測定部位のピーク値である最大値又は最小値の何れかの測定モードを選択するためのモードスイッチ７と、このモードスイッチ７が入ると被測定部位の最大値又は最小値を検出器３からの検出値を基に算出し、上記の表示部４に表示して保持するコントローラ８とを備えて形成されている。【選択図】図１
0003180126.tif 000002
【実用新案登録請求の範囲】
【請求項１】
本尺にスライダーが摺動自在に設けられ、このスライダーの移動量を検出する検出器と、この検出器の検出値を数値で表示する表示部とがスライダーに設けられ、上記の本尺の測定子と、スライダーの測定子とで被測定部位を測定するよう形成されているデジタルノギスであって、上記のスライダーが、被測定部位のピーク値である最大値又は最小値の何れかの測定モードを選択するためのモードスイッチと、このモードスイッチが入ると被測定部位の最大値又は最小値を検出器からの検出値を基に算出し、上記の表示部に表示して保持するコントローラとを備えて形成されていることを特徴とするピーク値表示機能付きデジタルノギス。
【請求項２】
請求項１記載のデジタルノギスであって、スライダーを初期動作位置から移動させた段階とスライダーを初期動作位置に戻した段階でオンするためのセットキーがスライダーに設けられ、スライダーが初期動作位置から移動された後、セットキーからのオン信号を受けると、スライダーの表示値を保持して以後のカウントを禁止すると共に、スライダーが初期動作位置に戻された後、セットキーからのオン信号を受けると、カウント禁止状態を解除する制御部をコントローラが備えて形成されていることを特徴とするピーク値表示機能付きデジタルノギス。
【考案の詳細な説明】
【技術分野】
【０００１】
本考案は、デジタルノギスに関し、更に詳しくは被測定部位の最大値又は最小値を自動で判断して表示できるよう形成したピーク値表示機能付きデジタルノギスに関するものである。
【背景技術】
【０００２】
従来、デジタルノギスは、本尺にスライダーが摺動自在に設けられ、このスライダーの移動量を検出する検出器と、この検出器の検出値を数値で表示する表示部とがスライダーに設けられ、上記の本尺の測定子と、スライダーの測定子とで被測定部位を測定するよう形成されている。そして、この場合、従来品は、デジタル表示値をホールドできるよう形成されている（例えば特許文献１参照）。
【０００３】
ところで、従来品を使用して、管や孔等の内径を測定する場合は、従来、作業者は、測定作業を何度か行った後、その内の最大値を求める内径の値とするのが通例であった。また被測定部位が、例えば溝やブロック状物体の場合は、表示値の内の最小値を求める溝幅やブロック状物体の正しい長さとして取得するのが通例であった。
【０００４】
そして、この種の測定作業の際、作業者は、最大値又は最小値と思われる数値が出たところでホールドスイッチを押し、表示値をホールドしてから数値を読み取っていたものである。
従って、従来品の場合は、作業者がホールドスイッチを押し損ねたり、押し間違えて測定作業を遣り直す必要が生じ易かった。その結果、従来品を使用すると、この種の測定作業に煩わしさを伴い、測定作業に手間暇がかかる、という問題点があった。
【先行技術文献】
【特許文献】
【０００５】
【特許文献１】特開２０１０−３８７３０号公報
【考案の概要】
【考案が解決しようとする課題】
【０００６】
本考案は、このような従来品の問題点に鑑み、提案されたものである。
従って本考案が解決しようとする技術的課題は、被測定部位の最大値又は最小値であるピーク値の検出作業を、簡単、迅速にできるようにし、ピーク値の検出に係る手間暇を軽減できるよう形成したピーク値表示機能付きデジタルノギスを提供することにある。
【課題を解決するための手段】
【０００７】
本考案は、上記の課題を解決するため、次のような技術的手段を採る。
即ち本考案のノギスは、図１等に示されるように、本尺１にスライダー２が摺動自在に設けられ、このスライダー２の移動量を検出する検出器３と、この検出器３の検出値を数値で表示する表示部４とがスライダー２に設けられ、上記の本尺１の測定子５と、スライダー２の測定子６とで被測定部位を測定するよう形成されているデジタルノギスであって、上記のスライダー２が、被測定部位のピーク値である最大値又は最小値の何れかの測定モードを選択するためのモードスイッチ７と、このモードスイッチ７が入ると被測定部位の最大値又は最小値を検出器３からの検出値を基に算出し、上記の表示部４に表示して保持するコントローラ８とを備えて形成されていることを特徴とする（請求項１）。
【０００８】
この場合、本考案は、図１０等に示されるように、スライダー２を初期動作位置から移動させた段階とスライダー２を初期動作位置に戻した段階でオンするためのセットキー１３がスライダー２に設けられ、スライダー２が初期動作位置から移動された後、セットキー１３からのオン信号を受けると、スライダー２の表示値を保持して以後のカウントを禁止すると共に、スライダー２が初期動作位置に戻された後、セットキー１３からのオン信号を受けると、カウント禁止状態を解除する制御部１６をコントローラ８が備えて形成されているのが好ましい（請求項２）。
なぜならこれによると、被測定部位が、一方の丸孔１７の中心縦軸から他方の丸孔１８の中心縦軸までの距離のとき、この種の丸孔ピッチの測定作業を楽にできるからである。
【０００９】
従来、丸孔ピッチを測定する場合は、円錐形の測定子５、６を使用し、この測定子５、６を孔に差し込んでスライダー２の表示値を読み取って行なうのが通例である。
【００１０】
ところで、デジタルノギスは、測定子５、６を当接させた初期動作位置においては、表示部４にゼロが表示される。従って、この状態で作業者が、一方の測定子５を一方の丸孔１７に、他方の測定子６を他方の丸孔１８に入れ、スライダー２の表示部４の表示値を読むと、この表示値には、円錐形の測定子５、６の中心縦軸間の距離（測定子５、６の半径の２倍、即ち測定子５、６の直径の長さ）が含まれていないことになる。
【００１１】
換言すると、表示値は、本来、求める数値より、測定子５、６の中心縦軸間の距離だけ少ない状態となる。従って、従来、丸孔ピッチ測定を行う場合は、表示値に上記の距離を暗算で足すか、予め上記の距離（数値）を表示部４にボタン操作を繰り返して設定しておく必要があった。
【００１２】
従って、従来品を使用すると、測定値に誤りが生じ易く、またボタン操作を何度も繰り返して初期設定しなければならない、という煩わしさがあった。
【００１３】
請求項２記載の本考案品は、このような従来の実情に鑑みて提案されたものである。従って、これによれば、丸孔ピッチの測定作業を、簡単且つ迅速に、また楽にできるものである。
【考案の効果】
【００１４】
本考案は、このようにスライダーが、被測定部位のピーク値である最大値又は最小値の何れかの測定モードを選択するためのモードスイッチと、このモードスイッチが入ると被測定部位の最大値又は最小値を検出器からの検出値を基に算出し、表示部に表示して保持するコントローラとを備えて形成されている。
【００１５】
従って、本考案によれば、被測定部位の最大値又は最小値であるピーク値の検出を、簡単、迅速にでき、ピーク値の検出に係る手間暇を軽減できる、という実用上優れた効果を奏する。
【図面の簡単な説明】
【００１６】
【図１】本考案のデジタルノギスの使用状態時の正面図である。
【図２】同上ノギスの要部のブロック図である。
【図３】同上ノギスの使用例を説明するための正面図である。
【図４】同上ノギスの使用例を説明するための正面図である。
【図５】同上ノギスの使用例を説明するための正面図である。
【図６】同上ノギスの作用を説明するためのフローチャートである。
【図７】同上ノギスの使用例を説明するための正面図である。
【図８】同上ノギスの使用例を説明するための正面図である。
【図９】同上ノギスの使用例を説明するための正面図である。
【図１０】丸孔ピッチの測定機能を備えた本考案ノギスの使用例を説明するための要部正面図である。
【図１１】図１０に示す本考案ノギスの使用例を説明するための要部正面図である。
【図１２】図１０に示す本考案ノギスの使用例を説明するための要部正面図である。
【図１３】図１０に示す本考案ノギスの使用例を説明するための要部正面図である。
【図１４】図１０に示す本考案ノギスの使用例を説明するための要部正面図である。
【図１５】図１０に示す本考案ノギスの作用を説明するためのフローチャートである。
【考案を実施するための形態】
【００１７】
以下、本考案の好適な一実施形態を添付図面に従って説明する。
本考案は、本尺１にスライダー２が摺動自在に設けられ、このスライダー２の移動量を検出する検出器３と、この検出器３の検出値を数値で表示する表示部４とがスライダー２に設けられている。本考案は、本尺１の測定子５と、スライダー２の測定子６とで被測定部位を測定するデジタルノギスである。
【００１８】
上記のスライダー２は、被測定部位のピーク値である最大値（ＭＡＸ）又は最小値（ＭＩＮ）の何れかの測定モードを選択するためのモードスイッチ７と、このモードスイッチ７が入ると被測定部位の最大値又は最小値を検出器３からの検出値を基に算出し、上記の表示部４に表示して保持するコントローラ８とを備えて形成されている。
【００１９】
この実施形態の本考案品は、モードスイッチ７を短時間（例えば１秒間）押すと、所定のパルス信号がコントローラ８に入力し、コントローラ８は、この信号を受けると、表示部４に、直前に使用したモード（最大値はＭＡＸの文字、最小値はＭＩＮの文字）を表示するよう形成されている。
【００２０】
またこの実施形態の本考案品は、モードスイッチ７を短く押すごとに、最大値表示機能と、最小値表示機能が交互に変更、設定されるよう形成されている。最大値又は最小値の検出を停止する場合は、モードスイッチ７を長押し（例えば２秒間）する。モードスイッチ７が長押しされると、コントローラ８から、表示部４に、表示をクリアする信号が送られるよう形成されている。
【００２１】
またコントローラ８は、この実施形態ではマイコンで構成され、検出値（表示値）や制御プログラム等を保存、格納するためのメモリＩＣ９や、制御プログラムに従って被測定部位の最大値又は最小値を比較判断する比較回路１０等を備えて形成されている。制御プログラムは、測定作業を何度か繰り返して得た数値の内の、最大又は最小の数値が２回カウントされたとき、その数値を、被測定部位の求める最大値又は最小値として表示部４に表示して保持するよう組まれている。
【００２２】
またコントローラ８は、最大値モードのとき、カウントは常にアップカウントし、ダウンカウントは表示しないようプログラムが組まれている（以下、アップカウント機能という）。また最小値モードのときは、カウントは常にダウンカウントし、アップカウントは表示しないようプログラムされている（以下、ダウンカウント機能という）。
【００２３】
従って、最大値モードのときは、アップカウント機能により、スライダー２が戻されても、ダウンカウントは表示されず、スライダー２が戻される前の数値が表示部４に表示され、常にアップカウントのみ表示される。また最小値モードのときは、ダウンカウント機能により、スライダー２が引き離されても、アップカウントは表示されず、スライダー２が引き離される前の表示値が保持され、表示部４は、常にダウンカウント表示される。
【００２４】
なお、１１は電源スイッチであり、１２はリセットスイッチである。また１３は、後述するセットキーである。
【００２５】
次に、本考案品の使用例を説明する。
先ず、被測定部位の求める値が、最大値の場合の使用例を説明する。
【００２６】
この実施形態は、被測定部位である孔１４の直径を測定する場合である。先ず、作業者は、図３〜図５に示されるように、孔１４の内面に、本尺１の測定子５と、スライダー２の測定子６をあてがい、検出値を読み込む。
【００２７】
検出値が、直前の検出値より大きな値の場合、つまり、検出値がピーク値（最大値）よりの場合は、新しい検出値が表示部４に表示される。また検出値が、直前の検出値より小さいときは、ダウンカウントは表示されず、現状の表示値が維持される。
【００２８】
作業者が、孔１４の内面の任意の箇所を繰り返し測定し、検出値の内、最大の数値（この実施形態の場合は、図５の１２２．７８）が２回検出されると、この実施形態の本考案品は、その数値を被測定部位の求める最大値（ピーク値）として判断する（図６参照）。そして、このピーク値は、コントローラ８からの制御信号により、表示部４に表示が保持される。従って、作業者は、この表示値を被測定部位の求める最大値として読み取る。
【００２９】
そして、作業者が、その後、モードスイッチ７を長押し（例えば２秒間）すると、コントローラ８から、表示部４に、表示をクリアする信号が送られ、表示部４の表示がゼロになる。これにより、被測定部位としての孔１４の直径の測定作業が完了する。
【００３０】
次に、被測定部位の求める値が、最小値の場合の使用例を説明する。
先ず、作業者がモードスイッチ７を短く（例えば１秒間）押す。すると、最大値表示を示すＭＡＸの文字が表示部４から消え、最小値表示を示すＭＩＮの文字が表示部４の液晶画面に点灯する。
【００３１】
そして、作業者が、図７に示されるように、被測定物１５を挟むように、その両端面に、本尺１の測定子５と、スライダー２の測定子６をあてがい、検出値を読み込む。
【００３２】
検出値が、直前の検出値より小さい値の場合、つまり、検出値がピーク値（最小値）よりの場合は、新しい検出値が表示部４に表示される（図６参照）。また検出値が、直前の検出値より大きいときは、アップカウントは表示されず、現状の表示値が維持される。
【００３３】
作業者は、図８、図９に示されるように、被測定物１５を挟む角度や位置を変え、測定作業を繰り返し行なう。そして、検出値の内、最小の数値（この実施形態の場合は、図９の７０．００）が２回検出されると、この実施形態の本考案品は、その数値を被測定部位の求める最小値（ピーク値）として判断する（図６参照）。そして、このピーク値は、コントローラ８からの制御信号により、表示部４に表示が保持される。従って、作業者は、この表示値を被測定部位の求める最小値として読み取る
【００３４】
而して、作業者が、その後、モードスイッチ７を長押し（例えば２秒間）すると、コントローラ８から、表示部４に、表示をクリアする信号が送られ、表示部４の表示がゼロになる。これにより、被測定部位としての被測定物１５の両端面間の長さの測定作業が完了する。
【００３５】
以上の処において、本考案は、測定子５、６が円錐形に形成され、丸孔ピッチの測定作業を効率良く、楽にできるよう形成されているのでも良い。
【００３６】
この本考案品は、図１の本考案品において、本尺１とスライダー２の測定子５、６の内、ジョウと呼ばれる図面上、下側の左右の測定子５、６、くちばしと呼ばれる図面上、上側の左右の測定子５、６の、何れか一方側が円錐形に形成されたり、或いは、例えばジョウに、着脱式の円錐形測定子５、６が装着されることで実現される。
【００３７】
而して、この本考案は、図２、図１０等に示されるように、スライダー２を初期動作位置から移動させた段階とスライダー２を初期動作位置に戻した段階でオンするためのセットキー１３がスライダー２に設けられている。またこの本考案品は、スライダー２が初期動作位置から移動された後、セットキー１３からのオン信号を受けると、スライダー２の表示値を保持して以後のカウントを禁止すると共に、スライダー２が初期動作位置に戻された後、セットキー１３からのオン信号を受けると、カウント禁止状態を解除する制御部１６をコントローラ８が備えて形成されている。
【００３８】
この本考案品の場合は、スライダー２を移動させることで測定子５、６間の距離を予め表示部４に置いて測定できる。従って、これによれば、丸孔ピッチの測定を、簡単、迅速にできるものである。
【００３９】
次に、丸孔ピッチの測定作業を、具体的に説明する。
先ず、作業者は、図１０に示されるように、本尺１の円錐形の測定子５と、スライダー２の円錐形の測定子６とを当接させる。このとき、表示部４にはゼロが表示される。この実施形態の場合、測定子５、６の中心縦軸同士の間隔Ｄは、４０（ｍｍ）に選定されている。この間隔Ｄは、円錐形測定子５、６の直径と同一である。以下、この間隔Ｄの値は、セット値という。
【００４０】
次に、作業者は、表示部４にセット値が表示されるまでスライダー２を本尺１に沿って動かし、表示されたらスライダー２の移動を停止する（図１１参照）。そして、作業者は、スライダー２の表示部４に、セット値が表示されたら、セットキー１３を、長押しする（例えば２秒間）。これにより、表示部４に、セット値が表示されて例えば点滅し（図１２参照）、以後のカウントは禁止される。
【００４１】
次に、作業者は、初期動作位置（セット位置）までスライダー２を戻す。このとき、表示部４には、セット値が表示されたままになる（図１３参照）。そして、作業者が、セットキー１３を短く押す（例えば１秒間）。すると、セットキー１３からの信号を受け、制御部１６から、表示部４の点滅表示を停止し、カウント禁止を解除する信号が表示部４に送られる。
【００４２】
その後、作業者が、図１４に示されるように、一方の丸孔１７に本尺１の測定子５を差し込み、他方の丸孔１８にスライダー２の測定子６を差し込む。本考案品は、表示部４に、測定子５、６を当接させたときの中心縦軸間の距離Ｄ（４０ｍｍ）が予め置かれているから、表示値４５（ｍｍ）が、一方の丸孔１７の中心から、他方の丸孔１８の中心までの求める距離ｄとなる。
【００４３】
以上の処において、上例では一つのセットキー１３に、長押しと短押しの２つの機能を持たせているが、本考案品は、これに限られるものではない。即ち、本考案品は、長押し機能を有するセットキー１３と、短押し機能を有するセットキー１３が、夫々スライダー２に設けられているのでも良いことは勿論である。
【符号の説明】
【００４４】
１      本尺
２      スライダー
３      検出器
４      表示部
５      本尺の測定子
６      スライダーの測定子
７      モードスイッチ
８      コントローラ
１３    セットキー
１６    制御部
【図１】
0003180126.tif 000003
【図２】
0003180126.tif 000004
【図３】
0003180126.tif 000005
【図４】
0003180126.tif 000006
【図５】
0003180126.tif 000007
【図６】
0003180126.tif 000008
【図７】
0003180126.tif 000009
【図８】
0003180126.tif 000010
【図９】
0003180126.tif 000011
【図１０】
0003180126.tif 000012
【図１１】
0003180126.tif 000013
【図１２】
0003180126.tif 000014
【図１３】
0003180126.tif 000015
【図１４】
0003180126.tif 000016
【図１５】
0003180126.tif 000017